(57)【特許請求の範囲】
【請求項１】
複数の画素電極がマトリクス状に構成され、該複数の画素電極に対応するｎ（ｎは２以上の整数）色のカラーフィルタが縦方向で同じ色に配列され、かつ横方向で同じ色がｍ（ｍは２以上の整数）個、縦方向で同じ色がｌ（ｌは自然数）個ずつ並んで順次配列され、ｎ×ｍ×ｌ個の画素で１絵素を構成し、
同じ絵素を構成する同じ色の前記画素電極にそれぞれ接続された列方向のバスラインおよび行方向のバスラインのうち少なくとも一方のバスラインが短絡されていることを特徴とする液晶表示装置。
【請求項２】
複数の画素電極がマトリクス状に構成され、該複数の画素電極に対応するｎ（ｎは２以上の整数）色のカラーフィルタが縦方向で同じ色に配列され、かつ横方向で同じ色がｍ（ｍは２以上の整数）個、縦方向で同じ色がｌ（ｌは自然数）個ずつ並んで順次配列され、ｎ×ｍ×ｌ個の画素で１絵素を構成し、
列方向のバスラインを介して前記複数の画素電極に接続された第１ドライバと、行方向のバスラインを介して前記複数の画素電極に接続された第２ドライバとを有しており、前記第１ドライバおよび前記第２ドライバのうち少なくとも一方のドライバは、同じ絵素を構成する同じ色の前記画素電極にそれぞれ接続された配線が内部で短絡されていることを特徴とする液晶表示装置。
【請求項３】
前記複数の画素電極のそれぞれに、ＴＦＴが付与されていることを特徴とする請求項１又は２記載の液晶表示装置。
【請求項４】
前記ｎ色がＲＧＢの３原色であることを特徴とする、請求項１乃至３記載の液晶表示装置。
【請求項５】
前記カラーフィルタを対向基板上に形成することを特徴とする、請求項１乃至４記載の液晶表示装置。
【請求項６】
請求項１記載の液晶表示装置を製造する方法であって、
前記少なくとも一方のバスラインの端子間が同じ色の前記画素電極に接続される群毎に短絡させるためのフォトマスクを使用することを特徴とする方法。
【請求項７】
請求項２記載の液晶表示装置を製造する方法であって、
請求項２記載の液晶表示装置と表示サイズが同じであり、かつ請求項２記載の液晶表示装置よりも絵素数の多い高精細液晶表示装置用のＴＦＴ基板を使用することを特徴とする方法。
【発明の詳細な説明】
【０００１】
【発明の属する技術分野】
本発明は、カラー液晶表示パネル等に使用するカラーフィルタの画素分割に関する。特に高精細液晶パネルと低価格ＡＶ液晶テレビパネルとの相互関係と両モジュール相互の製造方法にも関する。
【０００２】
【従来の技術】
従来、高精細液晶パネルと低価格液晶ＡＶテレビパネルの両方を製造する場合、まず解像度や絵素数の異なる設計仕様のＴＦＴ基板を両方とも、最初から、ガラス基板から制作し、それぞれにあわせて別個に、カラーフィルタ基板、駆動回路、駆動ＩＣを作成し、組み立てていた。
【０００３】
又、高精細液晶パネルと低価格ＡＶ液晶テレビパネルを作成する場合、表示サイズが同じで画素数が異なる場合でも、ＴＦＴ基板を兼用して使用し、カラーフィルタ基板、駆動用ＩＣ、駆動回路を変更して使用するという発想がなかった。
【０００４】
又、特開平６−８２６１７号公報（富士通株式会社）には、複数のカラー画素にて構成する絵素における絵素内画素の分割方法に関し、グラフィック、キャラクタ、線画に対応可能なカラーフィルタの提供について開示されている。しかし、１絵素がＲ，Ｇ，Ｂの３画素で構成され、その各画素の形状が異なっていることは開示されているが、１絵素をＲ，Ｇ，Ｂ等の異なる色の複数画素の整数倍にし、絵素自体の大きさを変える、すなわち解像度を変えることについては開示されていない。
【０００５】
又、特開平１１−７２６９号公報（ソニー株式会社）には、液晶デイスプレイやプラズマデイスプレイなど、固定画素を有し、総画素数が決まっているパネルにおいて、信号処理に工夫を凝らすことにより、規格の異なる複数の映像信号に対応可能な表示装置を提供することを目的として、入力された映像信号の解像度にかかわらず、実質上パネルの画面全体に渡って行列配置した画素を割り付ける，すなわち複数ドットを１絵素として割り当てて，駆動する方法が開示されている。
【０００６】
しかし、特開平１１−７２６９号公報では、各解像度毎に、カラーフィルタの配列を変えて使用することは開示されていない。
【０００７】
【発明が解決しようとする課題】
従来、高精細液晶パネルと低価格ＡＶ液晶テレビパネルの両方を製造する場合、まず解像度や絵素数の異なる設計仕様のＴＦＴ基板を両方制作し、それぞれにあわせて別個に、カラーフィルタ基板、駆動回路、駆動ＩＣを作成する必要があり、ＴＦＴ基板等の部材の共通化が行われていなかった。又、特開平６−８２６１７号公報及び特開平１１−７２６９号公報では、高解像度の映像信号を表示するためのＴＦＴ基板と、高解像度用とは異なる低解像度の映像信号を表示するためのカラーフィルタ基板を用いて、低解像度の映像信号を表示するためのパネルを作成することに関しては、一切開示されていない。
【０００８】
【課題を解決するための手段】
本発明の液晶表示装置は、複数の画素電極がマトリクス状に構成され、該複数の画素電極に対応するｎ（ｎは２以上の整数）色のカラーフィルタが縦方向で同じ色に配列され、かつ横方向で同じ色がｍ（ｍは２以上の整数）個ずつ並んで順次配列され、ｎ×ｍ×ｌ（ｌは自然数）個の画素で１絵素を構成することを特徴としている。
【０００９】
本発明の液晶表示装置は、前記複数の画素電極のそれぞれに、ＴＦＴが付与されていても良い。
【００１０】
本発明の液晶表示装置は、前記ｎ色がＲＧＢの３原色であっても良い。
【００１１】
本発明の液晶表示装置は、前記カラーフィルタを対向基板上に形成しても良い。
【００１２】
本発明の液晶表示装置は、前記ｎ色のカラーフィルタが順次配列された液晶表示装置と比較して、ドライバが共通で、カラーフィルタ及びコントローラを異にしても良い。
【００１３】
本発明の液晶表示装置は、前記ｎ×ｍ×ｌ個の画素で１絵素を構成する液晶表示装置は、ｍ個ずつ列方向のバスラインを短絡して構成するか、又は１個ずつ行方向のバスラインを短絡して構成しても良い。
【００１４】
本発明の液晶表示装置の製造方法は、複数の画素電極がマトリクス状に構成されたＴＦＴ基板と、該複数の画素電極に対応するｎ（ｎは２以上の整数）色のカラーフィルタが縦方向で同じ色に配列され、かつ横方向で同じ色がｍ（ｍは２以上の整数）個ずつ並んで順次配列されたカラーフィルタ基板とにより、ｎ×ｍ×ｌ（ｌは自然数）個の画素で１絵素を構成するようにしたことを特徴としている。
【００１５】
以下、上記構成による作用を説明する。
【００１６】
高精細液晶パネルと低価格液晶ＡＶテレビパネルを作成する場合、表示サイズが同じで、解像度が異なるため絵素の大きさが異なり、その結果、絵素の数が異なる場合ならば、ＴＦＴ基板を兼用して使用し、高精細液晶パネルと低価格液晶ＡＶテレビパネルの両方のモジュール作成を、カラーフィルタ基板、駆動用ＩＣ、駆動回路を変更し、後半工程処理を行なう。すなわち、ＴＦＴ基板、ドライバ等の部材が共通している場合は使用し、最小限のカラーフィルタ基板と後半工程の変更のみで、両モジュールを作成する。
【００１７】
高精細液晶パネルと低価格ＡＶ液晶テレビパネルを作成する場合、表示サイズが同じで画素数が異なる場合ならば、ＴＦＴ基板を兼用して使用し、カラーフィルタ基板、駆動用ＩＣ、駆動回路を変更すれば、高精細液晶パネルと低価格液晶テレビパネルの両方の作成を、後半工程の変更で行うことが可能となり、短納期が可能となり、部材の共通化が図れるため、生産効率が上がる。又、低価格液晶パネルは、１絵素が複数画素で構成されるため、１画素に欠陥があった場合でも複数画素で１絵素が構成されているため、１絵素の欠陥にはならず、歩留まりの向上につながる。
【００１８】
【発明の実施の形態】
図１に、本発明に係わる高精細液晶モジュールと液晶ＡＶモジュールの両製造方法において、高精細ＴＦＴ基板を共有化し、最小限の後半工程の変更で両液晶モジュールを製造する方法の比較図を示す。
【００１９】
尚、高精細液晶パネルの絵素数と、液晶ＡＶパネルの絵素数の関係は、液晶ＡＶパネルのソースバスライン、又ゲートバスラインの本数で、高精細液晶パネルの絵素の数が割り切れれば理想的であるが、例え割り切れない場合でも、余りを適当に振り分けても良い。
【００２０】
以下にその工程を説明する。
【００２１】
まず、高精細ＴＦＴ基板（Ａ）を作成する。次に高精細液晶モジュールを作成する時は、図３に示すような、ＲＧＢで１絵素を形成するカラーフィルタを対向基板として貼り合す。尚、図３に図示している、ゲートバスライン１、ソースバスライン２、画素３及びＴＦＴ素子５は対向基板上には存在しないものであるが、カラーフィルタの配置関係をわかり易くするために図示している。ここでの画素３とは、いわゆる画素電極のことを示している。
【００２２】
次に、図２に示すように、高精細用ＴＦＴ基板（Ａ）に、高精細基板用のドライバとコントローラを接続して高精細用ＴＦＴ液晶モジュールを完成する。
【００２３】
その高精細ＴＦＴ基板モジュールの構成部材の概略を、図１（通常  高精細液晶モジュール）の四角内に示す。
【００２４】
次に、上記高精細ＴＦＴ基板を代用し、解像度（絵素数）の異なる液晶ＡＶモジュールを作成する場合の実施例を、以下に２例（実施の形態１、実施の形態２）を順を追って説明する。
【００２５】
（実施の形態１）
本実施の形態１は、高精細液晶モジュールに使用する構成部材のうち、カラーフィルタとコントローラのみをＡＶ仕様に変更して、ＡＶ用途の液晶を生産する場合の本実施の形態１である。
【００２６】
図５に示すような、複数画素毎にＲＧＢのカラーフィルタの色を配列し、複数画素を１絵素とした新カラーフィルタを対向基板として貼り合す。尚、図５に図示している、ゲートバスライン１、ソースバスライン２、画素３及びＴＦＴ素子５は対向基板には存在しないものであるが、カラーフィルタの配置関係を分かり易くするために図示している。ここでの画素３とは、いわゆる画素電極のことを示している。
【００２７】
本実施例では、3行６列の画素を１絵素に対応させた実施例を示しているが、決してこの数値に限定されるものではない。
【００２８】
次に、図４に示すように、高精細ＴＦＴに使用した水平、及び垂直ドライバを併用し、図５の色配列に対応するように、新コントローラを接続し、ＡＶ用途の液晶モジュールを完成する。
【００２９】
この製造方法により、図５の色配列の新カラーフィルタ及び図４の新コントローラのみを変更することにより、ＡＶ液晶モジュールが完成する。
【００３０】
（実施の形態２）
本実施の形態２は、カラーフィルタ、ドライバ、及びコントローラをＡＶ用途の液晶仕様に変更し、高精細ＴＦＴ基板は端子を群に短絡する加工のみを施して代用する場合の実施の形態である。
【００３１】
高精細ＴＦＴ基板（Ａ）をフォト工程により、ソースバスライン、及びゲートバスラインの端子を群毎に、ショートさせる加工を施す。具体的には、絵素電極を形成する時に、従来の高精細パネルの絵素を形成するためのフォトマスクの代りに、端子間が群毎に短絡したフォトマスクを使用することによって、フォトマスク１枚の変更使用のみで、ＴＦＴ基板が作成できる。
【００３２】
そのＴＦＴ基板を図６に示す。次に、図７に示すような、複数画素毎にＲＧＢのカラーフィルタの色を配列し、複数画素を１絵素とした新カラーフィルタを貼り合す。本実施例では、３行6列の画素を１絵素に対応させた実施例を示しているが、決してこの数値に限定されるものではない。
【００３３】
次に、図６に示すように、短絡したバスラインの本数に応じた新水平ドライバ、及び新垂直ドライバを接続し、ＡＶ用途の液晶モジュールが完成する。この製造方法により、図７の新カラーフィルタ、図６の新水平ドライバ、新垂直ドライバ、新コントローラの変更、及び高精細ＴＦＴ基板のバスラインの短絡加工のみによって、ＡＶ用途の液晶モジュールが完成する。
【００３４】
以上より、本実施の形態２によれば、バスラインが短絡されることで、新水平ドライバ、及び新垂直ドライバの内部回路数を大幅に削減することができる。
【００３５】
例えば、３行６列で考えると、新水平ドライバの内部回路数が６個必要だったものが３個で済むし、新垂直ドライバの内部回路数が３個必要だったものが１個で済む。このような内部回路数の削減は、本実施の形態のようなカラーフィルタの配置（同色のカラーフィルタ同士が並んで配置されている）を行なっているため、容易に実現できるのである。
【００３６】
図３に示すような、ＲＧＢで１絵素を形成するカラーフィルタの配置の場合、同色のカラーフィルタの間に別のカラーフィルタが存在しているため、同色のカラーフィルタ同士でバスラインを短絡しようとすると、配線構造が複雑になり、作成のための工程数も増えてしまう。
【００３７】
又、本実施の形態２では、ＴＦＴ基板上でバスラインを短絡させているが、ドライバの内部で短絡させるような構造にしても良い。この場合、ドライバからの出力端子数は実施の形態１の場合と同様になる。尚、上述した記述と同様の理由により、本実施の形態のカラーフィルタの配置を行なっているため、短絡が容易に行なえるのである。
【００３８】
更に、本実施の形態２では、新水平ドライバ及び新垂直ドライバの両方共のバスラインを短絡しているが、一方のバスラインのみを短絡しても良い。例えば、１行毎に映像信号の極性が反転する1ライン反転駆動を考えると、新水平ドライバのバスラインは短絡していても構わないが、新垂直ドライバのバスラインは短絡させずに、個別に順次操作されるようにした方が表示品位の向上に適している。
【００３９】
この場合にも、新水平ドライバの内部回路数は削減されており、効果が得られることがわかる。加えて、本実施の形態では、カラーフィルタとしてＲＧＢのカラーフィルタを用いているが、本発明はこれに限らない。2色以上のものであれば、本実施の形態は適用可能である。
【００４０】
加えて、本実施の形態では、カラーフィルタをＴＦＴ基板側ではなく、対向基板側に形成しているが、カラーフィルタをＴＦＴ基板側に設けても良い。
【００４１】
この場合、カラーフィルタを形成していない高精細ＴＦＴ基板に、液晶ＡＶパネルに対応したカラーフィルタを形成したＴＦＴ基板を用いて液晶ＡＶモジュールを製造することができるのである。
【００４２】
図８に、ＴＦＴ基板、カラーフィルタ（ＣＦ）基板、及び後半工程のフローチャートを示し、液晶セル完成までの工程を説明する。
【００４３】
まず、ＴＦＴ素子をガラス基板上に形成したＴＦＴ基板に配向膜を形成後、ラビング処理を行い、液晶分子が一定方向に配向しやすくし、仮止め用のペーストを塗布し、スペーサを散布しておく。カラーフィルタ基板にも配向膜を塗布しラビング処理を行い、シール樹脂を塗布しておく。
【００４４】
次に、上記両基板を貼り合わせ、シール樹脂を硬化後、セル毎にガラスを分断する。次に、液晶を真空注入し、注入口を樹脂で封止して液晶セルが完成する。
【００４５】
両ガラス基板の貼り合わせ以降を後半工程という。この液晶セルにドライバ、コントローラを組み込んで液晶モジュールが完成する。
【００４６】
【発明の効果】
高精細液晶パネルと低価格液晶テレビパネルを作成する場合、表示サイズが同じで画素数が異なる場合ならば、ＴＦＴ基板を兼用して使用し、カラーフィルタ基板、駆動用ＩＣ、駆動回路を変更すれば、高精細液晶パネルと低価格液晶テレビパネルの両方の作成を、後半工程の変更のみで行うことが可能となり、短納期が可能となり、部材の共通化が図れるため、生産効率が上がる。
【００４７】
又、低価格液晶パネルは、１絵素が複数画素で構成され、かつ１絵素の面積が広いため、１画素に欠陥があった場合でも視認できにくくなるため、１絵素の欠陥にはならず、液晶パネルの生産歩留まりの向上につながり、その結果、量産効率が上がる効果が生じる。
【００４８】
絵素欠陥が黒点の場合、高精細パネル程度の画素サイズならば、欠陥として認識されにくい。そのため、画素欠陥が輝点の場合、輝点を黒点に修正すれば、欠陥としての認識可能性がさらに小さくなり、生産歩留まりの更なる向上に繋がる。
【図面の簡単な説明】
【図１】本発明に係わる、高精細液晶モジュールと液晶ＡＶモジュールの相互の製造構成部材の比較図である。
【図２】高精細液晶モジュールの全体構成を示すブロック図である。
【図３】高精細液晶表示装置の対向基板のカラーフィルタ配置図である。（斜線部分は１絵素分）
【図４】実施例１に示したＡＶ用途の表示モジュールの全体構成を示すブロック図である。
【図５】実施例１に示したＡＶ用途の液晶を生産する場合の実施の形態であり、ＡＶ表示モジュールの対向基板の、新カラーフィルタ配置である。（斜線部分は1絵素分）
【図６】実施例２に示したＡＶ用途の表示モジュールの全体構成を示すブロック図である。
【図７】実施例２に示したＡＶ表示モジュールの対向基板の新カラーフィルタ配置である。（斜線部分は1絵素分）
【図８】ＴＦＴ基板工程、カラーフィルタ工程、後半工程（貼り合わせ以降）の区分を説明する図である。
【符号の説明】
１      ゲートバスライン
２      ソースバスライン
３      画素
４      短絡線
５      ＴＦＴ素子
【図１】
0003713193.tif 000002
【図２】
0003713193.tif 000003
【図３】
0003713193.tif 000004
【図４】
0003713193.tif 000005
【図５】
0003713193.tif 000006
【図６】
0003713193.tif 000007
【図７】
0003713193.tif 000008
【図８】
0003713193.tif 000009